(57)【特許請求の範囲】
【請求項１】
障子の横材の一端部に、室内方向及び縦框方向に開放されて、取付けようとする補助錠のケースを前記横材の長手方向に嵌め込むことができる切欠を形成するとともに、その切欠の縦框側端部の開口部に前記横材の一端部からの距離がそれぞれ異なる複数のケース係止用段部を設け、
前記補助錠のケースの前記縦框側端部に、弾性を有する複数個の位置調整用爪を設けて、
前記横材の前記縦框に対する差し込み量に応じて前記ケース係止用段部を選択し、そのケース係止用段部に前記ケースが前記切欠に嵌め込まれた補助錠の前記位置調整用爪を係止して、前記補助錠を取付けることを特徴とする補助錠の横材に対する取付構造。
【発明の詳細な説明】
【０００１】
【発明の属する技術分野】
本発明は、片引戸又は引き違い戸を建て付けた窓サッシ等に用いられる補助錠の横材に対する取付構造に関する。
【０００２】
【従来の技術】
片引戸又は引き違い戸を建て付けた窓サッシには、通常、防犯のためにクレセント錠が取付けられるが、施錠しても、屋外側からガラス板のクレセント錠に近い一部分を破壊して、容易に解錠される恐れがある。そのため、防犯性を強化するために、クレセント錠に加えて、屋外側から不正解錠がされにくい補助錠が用いられる例が増えている。
【０００３】
図５は、窓サッシに取付けてある従来の補助錠を示す斜視図であり、図６は、その補助錠の取付構造を示す障子の横断面図、図７は補助錠を取付けるために下框に形成された切欠を示す下框の縦框側端部の正面図、図８は図６のＹ−Ｙ線断面図である。
図５に示すように、補助錠ＳＬは、一般的には、ケース１と、そのケースの中に縦軸によりその軸を中心に回転して出没可能に収容されたストッパ２とを有しており、外障子１００の下框１０１に、縦框（召合せ框）１０２側の端部の室内側面において取付けられ、室内側からストッパの突出及び没入の操作が行われる。
【０００４】
補助錠ＳＬを下框１０１の室内側面に取付けるための従来の構造は、次のようなものであった。すなわち、まず、補助錠ＳＬについては、図６に示すように、ケース１の上面と下面に、ケースの正面側に形成してあるフランジ１ａの至近位置に複数の突起又は凸条１ｂを形成して、その突起又は凸条とフランジとの間に、嵌合溝１ｃを形成する。また、下框１０１の室内側壁の縦框１０２側端部に、室内方向と縦框方向に開放する横長の切欠１０３を形成し、その切欠１０３に補助錠のケース１を切欠１０３の縦框側開口部から下框１０１の他端部方向（図７の矢印Ａ方向）に移動して、切欠１０３の上下の端縁１０３ａをケース１の上下の嵌合溝１ｃに嵌合し、そのケース１の縦框１０２と反対側の側面１ｄを切欠１０３の終端部に当接させて固定する。続いて、その補助錠ＳＬを装着した下框１０１の端部を縦框１０２のガラス嵌合溝１０４にその下框の端部がガラス嵌合溝の底部に突き当たるまで差し込み、補助錠のケース１のフランジ１ａの縦框側端部を縦框１０２のガラス嵌合溝１０４を形成する室内側壁１０５の端部に当接させて補助錠ＳＬを固定していた。
従って、下框１０１に形成される切欠１０３の長さＬ３は、取付けられる補助錠のケース１の一方の側面１ｄからフランジ１ａの縦框側端部までの距離Ｌ１と、縦框１０２のガラス嵌合溝１０４の深さＬ２（すなわち、下框１０１の縦框１０２に対する差し込み量）との和に等しい寸法（Ｌ３＝Ｌ１＋Ｌ２）に設定されている。
【０００５】
【発明が解決しようとする課題】
ところで、下框１０１及び縦框１０２には、サッシの種類により各種のタイプ（形状、寸法）のものが使用されるのが通例であるが、補助錠の取付構造との関係においては、とくに縦框１０２のガラス嵌合溝１０４の深さＬ２、すなわち、下框の縦框に対する差し込み量には、種々のものがある。例えば、１１ｍｍ，１１．８ｍｍ，１３ｍｍ，１３．６ｍｍ，１３．８ｍｍ，１５．６ｍｍなどがある。これに対して、補助錠ＳＬは、コスト削減のため、できるだけ少ない種類、実際的には１種類を共通に使用されるのが通例である。すなわち、使用される補助錠のケース１及びフランジ１ａの長さ及び高さは常に一定である。
従って、どの種類の縦框を用いるかにより、下框１０１の切欠１０３の長さ寸法Ｌ３が異なる。例えば、図７に例示するように、縦框１０２のガラス嵌合溝１０４の深さがＬ２よりも大きいＬ２´の場合は、切欠１０３は長さ寸法がＬ３´となるように加工する必要がある。
このように、従来は、サッシのタイプによって補助錠を取付けるための下框１０１に対する加工寸法が異なるので、加工ダイスを多数用意する必要があり、その管理が複雑であり、生産効率が低いという問題があった。
【０００６】
本発明は、上記の点に鑑みてなされたものであり、その課題は、加工ダイスの必要数をできるだけ少なくし、管理の簡素化及び生産効率の向上を図ることにある。
【０００７】
【課題を解決するための手段】
本発明は、障子の横材の一端部に、室内方向及び縦框方向に開放されて、取付けようとする補助錠のケースを横材の長手方向に嵌め込むことができる切欠を形成するとともに、その切欠の縦框側端部の開口部に前記横材の一端部からの距離がそれぞれ異なる複数のケース係止用段部を設け、前記補助錠のケースの前記縦框側端部に、弾性を有する複数個の位置調整用爪を設けて、前記横材の前記縦框に対する差し込み量に応じて前記ケース係止用段部を選択し、そのケース係止用段部にケースが前記切欠に嵌め込まれた補助錠の前記位置調整用爪を係止して、前記補助錠を取付けることを特徴としている。ここで、横材なる用語は、下框、上框又は中桟を含むものとして用いる。
上記構成により、横材の切欠に補助錠を嵌合する際に、切欠の複数のケース係止用段部のうち、縦框のガラス嵌合溝の深さに対応するものを選択して、そのケース係止用段部にケースの位置調整用爪を係止する。切欠の縦框方向開口面に最も近いケース係止用段部以外のケース係止用段部に位置調整用爪を係止する場合は、係止されない位置調整用爪は、その弾性を利用して、切欠の上部端縁又は下部端縁の裏面に後退させることができる。
【０００８】
【発明の実施の形態】
続いて、本発明の実施の形態について、図１ないし図４に基づいて説明する。
図１は本発明による補助錠取付け構造を用いる場合に可能な３種の取付け態様を示す要部正面図、図２は下框に形成された切欠の一例を示す正面図、図３は補助錠に付加された構成を示す図であり、（ａ）は正面図、（ｂ）は平面図である。図４は同じく補助錠の要部を示す拡大図であり、（ａ）は斜視図、（ｂ）は正面図、（ｃ）は平面図である。図５〜図８の従来の補助錠取付け構造の構成部材と同一又は相当する部材には、同一の符号を用いる。
【０００９】
本発明においては、図２に例示するように、まず、下框１０１の、補助錠のケースを下框の長手方向に嵌め込むことができる切欠１０３の縦框側端部の開口部に、下框の縦框側端面１０１ａからの距離がそれぞれ異なる複数のケース係止用段部１０３ｂ１，１０３ｂ２が設けられている。
上述したように、縦框のガラス嵌合溝の深さＬ２、すなわち、下框の縦框に対する差し込み量は、例えば、１１ｍｍ，１１．８ｍｍ，１３ｍｍ，１３．６ｍｍ，１３．８ｍｍ，１５．６ｍｍなど、種々である。この点を考慮に入れて、図示の実施例の場合は、下框１０１の一端部１０１ａから最も近い第１のケース係止用段部１０３ｂ１までの距離は３ｍｍに設定され、また、下框１０１の一端部１０１ａから第２のケース係止用段部１０３ｂ２までの距離は５ｍｍに設定されている。
なお、切欠１０３の長さ、すなわち、下框の縦框側端面１０１ａから切欠の終端部１０３ｃまでのの距離は、取付けられる補助錠の長さとほぼ等しいか、これよりも若干短めに設定されている。一例を挙げると、補助錠の長さが１０６．３ｍｍである場合は、切欠１０３の長さは１０５．５ｍｍである。
【００１０】
本発明においては、他方の補助錠ＳＬにおいては、図３及び図４に示すように、ケース１の縦框側端部からフランジ１ａの背面側において縦框方向に突出する第１位置調整用爪１ｄ１及び第２位置調整爪１ｄ２が設けられている。第２位置調整爪１ｄ２の上端部及び第１位置調整爪１ｄ１の下端部は、それぞれフランジ１ａの上下端部とほぼ等しい位置まで延出されている。すなわち、第２位置調整爪１ｄ２の上端部から第１位置調整爪１ｄ１の下端部までの距離が切欠１０３の上下の端縁１０３ａ間の距離よりも若干大きくされている。そして、位置調整爪１ｄ１，１ｄ２は、例えばドライバ等の工具によりケース１の正面に対して直角な方向に力を加えて変形させることができる程度の弾性を有している。さらに、好ましくは、ケース１のフランジ１０１ａからの位置調整爪１ｄ１，１ｄ２の突出量は、縦框１０３のガラス嵌合溝１０４の最小深さとほぼ等しい、１０．８ｍｍとされている。フランシ１ａの一端部から位置調整爪１ｄ１，１ｄ２の先端までの距離の一例が前記補助錠の長さ１０６．３ｍｍである。
【００１１】
上記の構成の元に、補助錠を各種タイプのサッシの下框に取付ける場合は、次のように行う。すなわち、縦框のガラス嵌合溝の深さが１１ｍｍあるいは１１．８ｍｍである場合は、図１（ａ）に示すように、補助錠ＳＬのケース１を切欠１０３に縦框側開口部から切欠１０３の終端部方向に移動して、切欠の上下の端縁１０３ａをケースの上下の嵌合溝１ｃに嵌合する。そして、その嵌合の終盤において、第１位置調整爪１ｄ１を切欠１０３の第１のケース係止用段部１０３ｂ１に係止させる。この時、二つの位置調整爪１ｄ１，１ｄ２の先端は下框１０１の縦框側端面１０１ａとほぼ等しい位置に存在する。従って、この補助錠ＳＬを装着した下框１０１の縦框側端部を縦框１０２の深さが１１ｍｍあるいは１１．８ｍｍのガラス嵌合溝１０４に差し込むと、第１位置調整爪１ｄ１は下框の第１のケース係止用段部１０３ｂ１と縦框のガラス嵌合溝１０４の底面とによってケース１の長手方向の移動が規制される。
【００１２】
次に、縦框のガラス嵌合溝の深さが１３ｍｍ，１３．６ｍｍあるいは１３．８ｍｍである場合は、図１（ｂ）に示すように、補助錠ＳＬのケース１を上述した例の場合と同様に切欠１０３に嵌合し、その嵌合の終盤において、二つの位置調整爪１ｄ１，１ｄ２のうち、第１位置調整爪１ｄ１が先に第１のケース係止用段部１０３ｂ１に係合して止められるので、その第１位置調整爪１ｄ１をドライバ等の適当な工具の先端で下框１０１の室内側壁の背後方向に押しながら、ケース１をさらに切欠１０３の終端部方向に押し付けて、今度は第２位置調整爪１ｄ２を切欠１０３の第２のケース係止用段部１０３ｂ２に係止させる。そして、この場合は、二つの位置調整爪１ｄ１，１ｄ２が下框１０１の縦框側端面１０１ａから離間されているが、第１位置調整爪１ｄ１がその弾性復元力により切欠１０３の下部端縁の背面に強く押圧されて、補助錠は図１（ｂ）に示された位置に固定される。
【００１３】
さらに、縦框のガラス嵌合溝の深さが１５．６ｍｍである場合は、図１（ｃ）に示すように、補助錠ＳＬのケース１を上述した例の場合と同様に切欠１０３に嵌合し、その嵌合の終盤において、二つの位置調整爪１ｄ１，１ｄ２のうち、第１位置調整爪１ｄ１が先に第１のケース係止用段部１０３ｂ１に係合して止められるので、先の例の場合と同様に第１位置調整爪１ｄ１をドライバ等の適当な工具の先端で下框１０１の室内側壁の背後方向に押しながら、ケース１をさらに切欠１０３の終端部方向に押し付けると、第２位置調整爪１ｄ２が切欠１０３の第２のケース係止用段部１０３ｂ２に係合して止められるので、第１位置調整爪１ｄ１の場合と同様に、適当な工具の先端で下框１０１の室内側壁の背後方向に押しながら、ケース１をさらに切欠１０３の終端部に止められるまで押し付ける。この場合は、ケース１の一端部が切欠１０３の終端部に当たって止められ、二つの位置調整爪１ｄ１，１ｄ２がその弾性復元力により切欠１０３の上下の端縁の背面に押圧されて、補助錠は図１（ｃ）に示された位置に固定される。
【００１４】
上記のように本実施例によれば、１種類の補助錠を用いる場合に、下框の縦框に対する差し込み量が種々異なっても、下框に対する切欠の加工寸法を常に同じくすることができるので、加工ダイスを多く用意する必要がない。
【００１５】
上記実施例は、本発明の補助錠を窓サッシの下框に取付けた例であるが、上框や中桟にも適用することができ、また、本発明は片引戸又は引違い戸を建て付けた玄関、勝手口などにも用いることができることは多言を要しない。また、ケース１の長さを大きくし、補助錠を取付けた状態でストッパ２の縦框からの距離を例えば、１５ｃｍ程度にすれば、内障子２００を換気可能なように一部開放した後は、それ以上開放できないようにロックする換気用補助錠の取付けにも適用することができる。
【００１６】
【発明の効果】
上述のように、本発明によれば、一つの切欠の形状で複数タイプのサッシに対応することができるので、従来と異なって、加工ダイスを多数用意する必要がない。また、補助錠の形状も１種類で対応することができる。
【図面の簡単な説明】
【図１】本発明による補助錠取付け構造を用いる場合に可能な３種の取付け態様を示す要部正面図。
【図２】下框に形成された切欠の一例を示す正面図。
【図３】補助錠に付加された構成を示す図であり、（ａ）は正面図、（ｂ）は平面図。
【図４】同じく補助錠の要部を示す拡大図であり、（ａ）は斜視図、（ｂ）は正面図、（ｃ）は平面図。
【図５】窓サッシに取付けてある従来の補助錠を示す斜視図。
【図６】その補助錠の取付構造を示す障子の横断面図。
【図７】補助錠を取付けるために下框に形成された切欠を示す下框の縦框側端部の正面図。
【図８】図６のＸ−Ｘ線断面図。
【符号の説明】
１０１    下框
１０２    縦框
１０３    切欠
１０３ｂ１  第１のケース係止用段部
１０３ｂ２  第２のケース係止用段部
１０４    ガラス嵌合溝
ＳＬ    補助錠
１      ケース
２      ストッパ
１ｄ１    第１位置調整爪
１ｄ２    第２位置調整爪
【図１】
0003709125.tif 000002
【図２】
0003709125.tif 000003
【図３】
0003709125.tif 000004
【図４】
0003709125.tif 000005
【図５】
0003709125.tif 000006
【図６】
0003709125.tif 000007
【図７】
0003709125.tif 000008
【図８】
0003709125.tif 000009